(57)【要約】  オンラインソーシャルネットワーキング相互作用方法および関連デバイスおよびシステムは、ソーシャルネットワーキングプラットフォーム上でユーザによって入力されたイベント位置およびターゲット端末識別を伝えるコマンドをサービスデバイスへ送信する開始端末と、コマンドを受信した後、ターゲット端末識別に基づきターゲット端末へイベント位置を伝えるメッセージを送信するサービスデバイスと、イベント位置を伝えるメッセージを受信した後、ターゲット端末がイベント位置に存在するかどうかを検出し、ターゲット端末が存在する場合、ターゲット端末がイベント位置に存在する通知をサービスデバイスへ送信するターゲット端末と、を含む。
2015535361.tif 000002
【特許請求の範囲】
【請求項１】
オンラインソーシャルネットワーキング相互作用方法であって、
サービスデバイスからイベント位置を伝えるメッセージを受信するステップと、
ターゲット端末が前記イベント位置に存在するかどうかを検出するステップと、
前記ターゲット端末が前記イベント位置に存在する場合、前記ターゲット端末が前記イベント位置に存在する通知を前記サービスデバイスへ送信するステップと、
前記ターゲット端末が前記イベント位置に存在しないかどうかを検出するステップと、
前記ターゲット端末が前記イベント位置に存在しない場合、１つまたは複数のソーシャルネットワーキング動作を実行するようにユーザを促すステップと
を含むことを特徴とする方法。
【請求項２】
前記サービスデバイスからソーシャルネットワーキングイベントへの招待を受信するステップと、
前記ターゲット端末が、前記ユーザによって入力された前記ソーシャルネットワーキングイベントへの参加を確認する応答を受信しているかどうかを検出するステップと、
前記ターゲット端末が前記応答を受信している場合、前記ユーザによって入力された前記ソーシャルネットワーキングイベントへの参加を確認する前記応答を前記サービスデバイスへ送信するステップと
を含むことを特徴とする請求項１に記載の方法。
【請求項３】
前記ターゲット端末が前記イベント位置に存在するかどうかを検出するステップは、
前記ターゲット端末の位置および前記イベント位置が対応するかどうかを検出するステップであって、前記ターゲット端末の位置および前記イベント位置が対応する場合、前記ターゲット端末が前記イベント位置に存在すると判断され、前記ターゲット端末の位置および前記イベント位置が対応しない場合、前記ターゲット端末が前記イベント位置に存在しないと判断される、ステップを含むことを特徴とする請求項１に記載の方法。
【請求項４】
前記ターゲット端末が前記イベント位置に存在しないかどうかを検出するステップは、
前記ターゲット端末の位置および前記イベント位置が対応するかどうかを検出するステップであって、前記ターゲット端末の位置および前記イベント位置が対応しない場合、前記ターゲット端末が前記イベント位置に存在しないと判断され、前記ターゲット端末の位置および前記イベント位置が対応する場合、前記ターゲット端末は、前記イベント位置に存在すると判断される、ステップを含むことを特徴とする請求項１に記載の方法。
【請求項５】
ソーシャルネットワーキングプラットフォーム上で前記ユーザによって入力された前記イベント位置およびターゲット端末識別を伝えるコマンドを前記サービスデバイスが開始端末から受信した後、前記イベント位置を伝える前記メッセージは、前記ターゲット端末識別に基づき前記サービスデバイスから送信され、
前記ターゲット端末が前記イベント位置に存在する通知を前記サービスデバイスへ送信するステップは、前記ターゲット端末が前記イベント位置に存在する通知を、前記サービスデバイスを介して前記開始端末へ送信するステップを含むことを特徴とする請求項１に記載の方法。
【請求項６】
ターゲット端末識別を伝える前記ソーシャルネットワーキングイベントへの招待を前記サービスデバイスが開始端末から受信した後、前記ソーシャルネットワーキングイベントへの前記招待は、前記ターゲット端末識別に基づき前記サービスデバイスから送信され、
前記ユーザによって入力された前記ソーシャルネットワーキングイベントへの参加を確認する前記応答を前記サービスデバイスへ送信するステップは、前記ユーザによって入力された前記ソーシャルネットワーキングイベントへの参加を確認する前記応答を、前記サービスデバイスを介して前記開始端末へ送信するステップを含むことを特徴とする請求項２に記載の方法。
【請求項７】
オンラインソーシャルネットワーキング相互作用方法であって、
サービスデバイスからイベント位置を伝えるメッセージを受信するステップと、
ターゲット端末が前記イベント位置に存在するかどうかを検出するステップと、
前記ターゲット端末が前記イベント位置に存在する場合、前記ターゲット端末が前記イベント位置に存在する通知を前記サービスデバイスへ送信するステップと、
前記サービスデバイスへ前記ターゲット端末の位置および前記イベント位置を送信し、前記サービスデバイスが、前記ターゲット端末の位置および前記イベント位置を比較して、前記ターゲット端末の位置および前記イベント位置が対応しない場合、１つまたは複数のソーシャルネットワーキング相互作用動作を実行するためのコマンドを前記ターゲット端末へ送信できるようにするステップと、
前記１つまたは複数のソーシャルネットワーキング相互作用動作を実行するためのコマンドを受信するステップと、
前記１つまたは複数のソーシャルネットワーキング動作を実行するようにユーザを促すステップと
を含むことを特徴とする方法。
【請求項８】
前記サービスデバイスからソーシャルネットワーキングイベントへの招待を受信するステップと、
前記ターゲット端末が、前記ユーザによって入力された前記ソーシャルネットワーキングイベントへの参加を確認する応答を受信しているかどうかを検出するステップと、
前記ターゲット端末が前記応答を受信している場合、前記ユーザによって入力された前記ソーシャルネットワーキングイベントへの参加を確認する前記応答を前記サービスデバイスへ送信するステップと
を含むことを特徴とする請求項７に記載の方法。
【請求項９】
前記ターゲット端末が前記イベント位置に存在するかどうかを検出するステップは、
前記ターゲット端末の位置および前記イベント位置が対応するかどうかを検出するステップであって、前記ターゲット端末の位置および前記イベント位置が対応する場合、前記ターゲット端末が前記イベント位置に存在すると判断され、前記ターゲット端末の位置および前記イベント位置が対応しない場合、前記ターゲット端末が前記イベント位置に存在しないと判断される、ステップを含むことを特徴とする請求項７に記載の方法。
【請求項１０】
オンラインソーシャルネットワーキング相互作用方法であって、
ソーシャルネットワーキングプラットフォーム上でユーザによって入力されたイベント位置およびターゲット端末識別を伝えるコマンドを開始端末から受信するステップと、
前記ターゲット端末識別に基づきターゲット端末へ前記イベント位置を伝えるメッセージを送信し、前記ターゲット端末がイベント位置に存在するかどうかをターゲット端末が検出して、前記ターゲット端末が前記イベント位置に存在する時、前記ターゲット端末が前記イベント位置に存在する通知を送信できるようにするステップと、
前記ターゲット端末が前記イベント位置に存在する通知を前記ターゲット端末から受信するステップと、
前記ターゲット端末が前記イベント位置に存在する通知を前記開始端末に送信するステップと
を含むことを特徴とする方法。
【請求項１１】
前記ソーシャルネットワーキングプラットフォーム上で前記ユーザによって入力された前記ターゲット端末識別を伝えるソーシャルネットワーキングイベントへの招待を前記開始端末から受信するステップと、
前記ターゲット端末識別に基づき前記ソーシャルネットワーキングイベントへの招待を前記ターゲット端末へ送信し、前記ユーザによって入力された前記ソーシャルネットワーキングイベントへの参加を確認する応答を前記ターゲット端末が受信したかどうかを前記ターゲット端末が検出して、前記ユーザによって入力された前記ソーシャルネットワーキングイベントへの参加を確認する前記応答を前記ターゲット端末が受信した後、前記ユーザによって入力された前記ソーシャルネットワーキングイベントへの参加を確認する前記応答を送信できるようにするステップと、
前記ユーザによって入力された前記ソーシャルネットワーキングイベントへの参加を確認する前記応答を前記ターゲット端末から受信するステップと、
前記ユーザによって入力された前記ソーシャルネットワーキングイベントへの参加を確認する前記応答を前記開始端末へ送信するステップと
を含むことを特徴とする請求項１０に記載の方法。
【請求項１２】
前記ターゲット端末から前記ターゲット端末の位置および前記イベント位置を受信するステップと、
前記ターゲット端末の位置および前記イベント位置を比較してそれらが対応するかどうかを確認するステップと、
前記ターゲット端末の位置および前記イベント位置が対応しない場合、１つまたは複数のソーシャルネットワーキング相互作用動作を実行するためのコマンドを前記ターゲット端末へ送信し、前記１つまたは複数のソーシャルネットワーキング相互作用動作を実行するように前記ターゲット端末が前記ユーザを促すことができるようにするステップと
を含むことを特徴とする請求項１０に記載の方法。
【請求項１３】
イベント位置を伝えるメッセージをサービスデバイスから受信する受信ユニットであって、ソーシャルネットワーキングプラットフォーム上でユーザによって入力された前記イベント位置およびターゲット端末識別を伝えるコマンドを前記サービスデバイスが開始端末から受信した後、前記メッセージは、前記ターゲット端末識別に基づき前記サービスデバイスから送信される、受信ユニットと、
前記ターゲット端末が前記イベント位置に存在するかどうかを検出する第１の検出ユニットと、
前記ターゲット端末が前記イベント位置に存在することを前記第１の検出ユニットが検出する時、前記ターゲット端末が前記イベント位置に存在する通知を、前記サービスデバイスを介して前記開始端末へ送信する送信ユニットと、
前記ターゲット端末が前記イベント位置に存在する前記通知を、前記送信ユニットが前記サービスデバイスを介して前記開始端末へ送信した後、前記ターゲット端末が前記イベント位置に存在しないかどうかを検出する第２の検出ユニットと、
前記ターゲット端末が前記イベント位置に存在しないことを前記第２の検出ユニットが検出する時、１つまたは複数のソーシャルネットワーキング相互作用動作を実行するように前記ユーザを促すプロンプトユニットと
を含むことを特徴とするターゲット端末。
【請求項１４】
前記受信ユニットは、前記イベント位置を伝える前記メッセージを前記サービスデバイスから受信する前、ソーシャルネットワーキングイベントへの招待を前記サービスデバイスから受信し、前記ソーシャルネットワーキングイベントへの前記招待は、前記ターゲット端末識別を伝える前記ソーシャルネットワーキングイベントへの招待を前記サービスデバイスが前記開始端末から受信した後、前記ターゲット端末識別に基づき前記サービスデバイスから送信され、
前記第１の検出ユニットは、前記ユーザによって入力された前記ソーシャルネットワーキングイベントへの参加を確認する応答を前記ターゲット端末が受信したかどうかを検出し、
前記送信ユニットは、前記ユーザによって入力された前記ソーシャルネットワーキングイベントへの参加を確認する前記応答を前記ターゲット端末が受信したことを前記第１の検出ユニットが検出した後、前記ユーザによって入力された前記ソーシャルネットワーキングイベントへの参加を確認する前記応答を、前記サービスデバイスを介して前記開始端末へ送信することを特徴とする請求項１３に記載のターゲット端末。
【請求項１５】
前記第１の検出ユニットは、前記第１の検出ユニットの位置および前記イベント位置が対応するかどうかを検出し、前記第１の検出ユニットの位置および前記イベント位置が対応する場合、前記ターゲット端末が前記イベント位置に存在すると判断し、前記第１の検出ユニットの位置および前記イベント位置が対応しない場合、前記ターゲット端末が前記イベント位置に存在しないと判断することを特徴する請求項１３に記載のターゲット端末。
【請求項１６】
前記第２の検出ユニットは、前記ターゲット端末が前記イベント位置に存在する前記通知を、前記送信ユニットが前記サービスデバイスを介して前記開始ユニットへ送信した後、前記第２の検出ユニットの位置および前記イベント位置が対応するかどうかを検出し、前記第２の検出ユニットの位置および前記イベント位置が対応しない場合、前記ターゲット端末が前記イベント位置に存在しないと判断し、または前記第２の検出ユニットの位置および前記イベント位置が対応する場合、前記ターゲット端末が前記イベント位置に存在すると判断することを特徴とする請求項１３に記載のターゲット端末。
【請求項１７】
ソーシャルネットワーキングプラットフォーム上でユーザによって入力されたイベント位置およびターゲット端末識別を伝えるコマンドを開始端末から受信する受信ユニットと、
前記ターゲット端末識別に基づき前記イベント位置を伝えるメッセージをターゲット端末へ送信し、前記メッセージを受信した後、前記ターゲット端末が前記イベント位置に存在するかどうかを前記ターゲット端末が検出し、前記ターゲット端末が前記イベント位置に存在する時、前記ターゲット端末が前記イベント位置に存在する通知を前記サービスデバイスへ送信できるようにする、送信ユニットと
を含み、
前記受信ユニットは、前記ターゲット端末が前記イベント位置に存在する前記通知を前記ターゲット端末から受信し、
前記送信ユニットは、前記ターゲット端末が前記イベント位置に存在する前記通知を前記開始端末へ送信し、
前記受信ユニットは、前記ターゲット端末が前記イベント位置に存在する前記通知を前記ターゲット端末から受信した後、前記ターゲット端末の位置および前記イベント位置を受信し、
比較ユニットは、前記ターゲット端末の位置および前記イベント位置を比較してそれらが対応するかどうかを確認し、
前記送信ユニットは、前記ターゲット端末の位置および前記イベント位置が対応しないと前記比較ユニットが判断する時、１つまたは複数のソーシャルネットワーキング相互作用動作を実行するためのコマンドを前記ターゲット端末へ送信し、前記１つまたは複数のソーシャルネットワーキング相互作用動作を実行するための前記コマンドを受信した後、前記１つまたは複数のソーシャルネットワーキング相互作用動作を実行するように前記ターゲット端末が前記ユーザを促せるようにすることを特徴とするサービスデバイス。
【請求項１８】
前記受信ユニットは、前記ソーシャルネットワーキングプラットフォーム上で前記ユーザによって入力された前記イベント位置および前記ターゲット端末識別を伝える前記コマンドを前記開始端末から受信する前、前記開始端末から前記ソーシャルネットワーキングプラットフォーム上で前記ユーザによって入力された前記ターゲット端末識別を伝えるソーシャルネットワーキングイベントへの招待を受信し、
前記送信ユニットは、前記ターゲット端末識別に基づき前記ターゲット端末へ前記ソーシャルネットワーキングイベントへの招待を送信し、前記ソーシャルネットワーキングイベントへの前記招待を前記ターゲット端末が前記ユーザに通知し、前記ユーザによって入力された前記ソーシャルネットワーキングイベントへの参加を確認する応答を前記ターゲット端末が受信したかどうかを検出し、前記ユーザによって入力された前記ソーシャルネットワーキングイベントへの参加を確認する前記応答を受信した後、前記ユーザによって入力された前記ソーシャルネットワーキングイベントへの参加を確認する前記応答を前記サービスデバイスへ送信できるようにし、
前記受信ユニットは、前記ユーザによって入力された前記ソーシャルネットワーキングイベントへの参加を確認する前記応答を前記ターゲット端末から受信し、
前記送信ユニットは、前記ユーザによって入力された前記ソーシャルネットワーキングイベントへの参加を確認する前記応答を前記開始端末へ送信することを特徴とする請求項１７に記載のサービスデバイス。
【請求項１９】
開始端末、サービスデバイス、およびターゲット端末を含むオンラインソーシャルネットワーキング相互作用システムであって、
前記開始端末は、ソーシャルネットワーキングプラットフォーム上でユーザによって入力されたイベント位置およびターゲット端末識別を伝えるコマンドを前記サービスデバイスへ送信し、
前記サービスデバイスは、前記コマンドを受信した後、前記ターゲット端末識別に基づき前記イベント位置を伝えるメッセージを前記ターゲット端末へ送信し、
前記ターゲット端末は、前記メッセージを受信した後、前記ターゲット端末が前記イベント位置に存在するかどうかを検出し、前記ターゲット端末が前記イベント位置に存在する場合、前記ターゲット端末が前記イベント位置に存在する通知を前記サービスデバイスへ送信し、
前記サービスデバイスは、前記ターゲット端末が前記イベント位置に存在する前記通知を前記開始端末へ送信することを特徴とするシステム。
【請求項２０】
前記開始端末は、前記ソーシャルネットワーキングプラットフォーム上で前記ユーザによって入力された前記イベント位置および前記ターゲット端末識別を伝える前記コマンドを前記サービスデバイスへ送信する前、前記ターゲット端末識別を伝えるソーシャルネットワーキングイベントへの招待を前記サービスデバイスへ送信し、
前記サービスデバイスは、前記ターゲット端末識別を伝える前記ソーシャルネットワーキングイベントへの前記招待を受信した後、前記ターゲット端末識別に基づき前記ターゲット端末へ前記ソーシャルネットワーキングイベントへの招待を送信し、
前記ターゲット端末は、前記ユーザによって入力された前記ソーシャルネットワーキングイベントへの参加を確認する応答を前記ターゲット端末が受信したかどうかを検出し、前記ターゲット端末が前記応答を受信した場合、前記ユーザによって入力された前記ソーシャルネットワーキングイベントへの参加を確認する前記応答を前記サービスデバイスへ送信し、
前記サービスデバイスは、前記ユーザによって入力された前記ソーシャルネットワーキングイベントへの参加を確認する前記応答を前記開始端末へ送信することを特徴とする請求項１９に記載のシステム。
【請求項２１】
前記ターゲット端末は、前記メッセージを受信した後、前記ターゲット端末の位置および前記イベント位置が対応するかどうかを検出し、前記ターゲット端末の位置および前記イベント位置が対応する場合、前記ターゲット端末が前記イベント位置に存在すると判断し、または前記ターゲット端末の位置および前記イベント位置が対応しない場合、前記ターゲット端末が前記イベント位置に存在しないと判断することを特徴とする請求項１９に記載のシステム。
【請求項２２】
前記ターゲット端末は、前記ターゲット端末が前記イベント位置に存在する前記通知を前記サービスデバイスへ送信した後、前記ターゲット端末が前記イベント位置に存在しないかどうかを検出し、前記ターゲット端末が前記イベント位置に存在しない場合、１つまたは複数のソーシャルネットワーキング相互作用動作を実行するように前記ユーザを促すことを特徴とする請求項１９に記載のシステム。
【請求項２３】
前記ターゲット端末は、前記ターゲット端末が前記イベント位置に存在する前記通知を前記サービスデバイスへ送信した後、前記ターゲット端末の位置および前記イベント位置が対応するかどうかを検出し、前記ターゲット端末の位置および前記イベント位置が対応しない場合、前記ターゲット端末が前記イベント位置に存在しないと判断し、または前記ターゲット端末の位置および前記イベント位置が対応する場合、前記ターゲット端末が前記イベント位置に存在すると判断することを特徴とする請求項２２に記載のシステム。
【請求項２４】
前記ターゲット端末は、前記ターゲット端末が前記イベント位置に存在する前記通知を前記サービスデバイスへ送信した後、前記ターゲット端末の位置および前記イベント位置を前記サービスデバイスへ送信し、
前記サービスデバイスは、前記ターゲット端末の位置および前記イベント位置を受信した後、前記ターゲット端末の位置および前記イベント位置を比較してそれらが対応するかどうかを確認し、前記ターゲット端末の位置および前記イベント位置が対応しない場合、１つまたは複数のソーシャルネットワーキング相互作用動作を実行するためのコマンドを前記ターゲット端末へ送信し、
前記ターゲット端末は、前記１つまたは複数のソーシャルネットワーキング相互作用動作を実行するための前記コマンドを受信した後、前記１つまたは複数のソーシャルネットワーキング相互作用動作を実行するように前記ユーザを促すことを特徴とする請求項１９に記載のシステム。
【発明の詳細な説明】
【技術分野】
【０００１】
本願は、２０１２年９月２０日に出願された中国特許出願第２０１２１０３５０６５３．３号の優先権を主張し、その内容がその全体を参照することによって本明細書に組込まれる。
【０００２】
本開示は一般に、ソーシャルネットワークサイトの技術分野に関し、特にオンラインソーシャルネットワーキング相互作用方法および関連デバイスおよびシステムに関する。
【背景技術】
【０００３】
ソーシャルネットワークサイト上で、ユーザはしばしば、特定のソーシャルネットワーキングプラットフォーム（例えば、個人スペースまたはマイクロブログ）を介してその友人からイベント招待を受け、所望のイベント位置で会議、チャット、および買い物等のソーシャルネットワーキングイベントに参加する。また、ソーシャルネットワーキングイベント後、ユーザは、ソーシャルネットワーキングプラットフォーム上でソーシャルネットワーキングイベントの間に撮影した映像および写真を公開してそれらを友人とすぐ共有するだけでなく、ウェブログ等の形式でソーシャルネットワーキングプラットフォーム上にソーシャルネットワーキングイベントに関する自分の感想を公開することもできる。これら活動の全ては、ソーシャルネットワーキング相互作用動作と呼ぶことができる。
【０００４】
現在のソーシャルネットワーキングサービス（“ＳＮＳ”）システムは、注意喚起機構を欠いている。ソーシャルネットワーキングイベント後、上記言及したソーシャルネットワーキング相互作用動作をすぐ実行するようにユーザに注意喚起するための適時の注意喚起情報がない。結果として、ソーシャルネットワーキングイベントに関する情報（例えば、映像、写真、およびウェブログ等）は、友人とすぐに共有できない。
【発明の概要】
【発明が解決しようとする課題】
【０００５】
本開示の実施形態によって解決されるべき技術的課題の１つは、オンラインソーシャルネットワーキング相互作用方法および関連デバイスおよびシステムを提供し、ソーシャルネットワーキングイベント後にソーシャルネットワーキング相互作用動作を実行するようにユーザに注意喚起できるようにし、それによりソーシャルネットワーキングイベントに関する情報が友人と共有できるようにすることである。
【課題を解決するための手段】
【０００６】
本開示の第１の局面は、オンラインソーシャルネットワーキング相互作用方法を提供する。方法は、
開始端末が、サービスデバイスへソーシャルネットワーキングプラットフォーム上でユーザによって入力されたイベント位置およびターゲット端末識別を伝えるコマンドを送信し、
サービスデバイスが、コマンドを受信した後、ターゲット端末識別に基づきターゲット端末へイベント位置を伝えるメッセージを送信し、
ターゲット端末が、ターゲット端末がメッセージを受信した後、イベント位置に存在するかどうかを検出し、ターゲット端末が存在する場合、サービスデバイスへターゲット端末がイベント位置に存在する通知を送信し、
サービスデバイスが、開始端末へターゲット端末がイベント位置に存在する通知を送信し、
ターゲット端末が、サービスデバイスへターゲット端末がイベント位置に存在する通知を送信した後、ターゲット端末がイベント位置に存在しないかどうかを検出し、ターゲット端末が存在しない場合、１つまたは複数のソーシャルネットワーキング相互作用動作を実行するようにユーザを促すことを含むことができる。
【０００７】
本開示の第２の局面は、オンラインソーシャルネットワーキング相互作用方法を提供する。方法は、
ターゲット端末が、サービスデバイスからイベント位置を伝えるメッセージを受信し、メッセージは、サービスデバイスが、開始端末からソーシャルネットワーキングプラットフォーム上でユーザによって入力されたイベント位置およびターゲット端末識別を伝えるコマンドを受信した後、ターゲット端末識別に基づきサービスデバイスから送信され、
ターゲット端末が、ターゲット端末がイベント位置に存在するかどうかを検出し、ターゲット端末が存在する場合、サービスデバイスを介して開始端末へターゲット端末がイベント位置に存在する通知を送信し、
ターゲット端末が、サービスデバイスを介して開始端末へターゲット端末がイベント位置に存在する通知を送信した後、ターゲット端末がイベント位置に存在しないかどうかを検出し、ターゲット端末が存在しない場合、１つまたは複数のソーシャルネットワーキング相互作用動作を実行するようにユーザを促すことを含むことができる。
【０００８】
本開示の第３の局面は、オンラインソーシャルネットワーキング相互作用方法を提供する。方法は、
開始端末が、サービスデバイスへソーシャルネットワーキングプラットフォーム上でユーザによって入力されたイベント位置およびターゲット端末識別を伝えるコマンドを送信し、
サービスデバイスが、コマンドを受信した後、ターゲット端末識別に基づきターゲット端末へイベント位置を伝えるメッセージを送信し、
ターゲット端末が、メッセージを受信した後、ターゲット端末がイベント位置に存在するかどうかを検出し、ターゲット端末が存在する場合、サービスデバイスへターゲット端末がイベント位置に存在する通知を送信し、
サービスデバイスが、開始端末へターゲット端末がイベント位置に存在する通知を送信し、
ターゲット端末が、サービスデバイスへターゲット端末がイベント位置に存在する通知を送信した後、サービスデバイスへターゲット端末の位置およびイベント位置を送信し、
サービスデバイスが、ターゲット端末の位置およびイベント位置を受信した後、ターゲット端末の位置およびイベント位置を比較してそれらが対応するかどうかを確認し、ターゲット端末の位置およびイベント位置が対応しない場合、ターゲット端末へ１つまたは複数のソーシャルネットワーキング相互作用動作を実行するためのコマンドを送信し、
ターゲット端末が、１つまたは複数のソーシャルネットワーキング相互作用動作を実行するためのコマンドを受信した後、１つまたは複数のソーシャルネットワーキング相互作用動作を実行するようにユーザを促すことを含むことができる。
【０００９】
本開示の第４の局面は、オンラインソーシャルネットワーキング相互作用方法を提供する。方法は、
サービスデバイスが、開始端末からソーシャルネットワーキングプラットフォーム上でユーザによって入力されたイベント位置およびターゲット端末識別を伝えるコマンドを受信し、
サービスデバイスが、ターゲット端末識別に基づきターゲット端末へイベント位置を伝えるメッセージを送信し、メッセージを受信した後、ターゲット端末がイベント位置に存在するかどうかをターゲット端末が検出し、ターゲット端末がイベント位置に存在する時、サービスデバイスへターゲット端末がイベント位置に存在する通知を送信できるようにし、
サービスデバイスが、ターゲット端末からターゲット端末がイベント位置に存在する通知を受信した後、ターゲット端末からターゲット端末の位置およびイベント位置を受信し、
サービスデバイスが、ターゲット端末の位置およびイベント位置を比較してそれらが対応するかどうかを確認し、ターゲット端末の位置およびイベント位置が対応しない場合、ターゲット端末へ１つまたは複数のソーシャルネットワーキング相互作用動作を実行するためのコマンドを送信し、１つまたは複数のソーシャルネットワーキング相互作用動作を実行するためのコマンドを受信した後、１つまたは複数のソーシャルネットワーキング相互作用動作を実行するようにターゲット端末がユーザを促せるようにすることを含むことができる。
【００１０】
本開示の第５の局面は、オンラインソーシャルネットワーキング相互作用システムを提供し、開始端末、サービスデバイス、およびターゲット端末を含み、
開始端末が、サービスデバイスへソーシャルネットワーキングプラットフォーム上でユーザによって入力されたイベント位置およびターゲット端末識別を伝えるコマンドを送信し、
サービスデバイスが、コマンドを受信した後、ターゲット端末識別に基づきターゲット端末へイベント位置を伝えるメッセージを送信し、
ターゲット端末が、メッセージを受信した後、ターゲット端末がイベント位置に存在するかどうかを検出し、ターゲット端末がイベント位置に存在する場合、サービスデバイスへターゲット端末がイベント位置に存在する通知を送信し、
サービスデバイスが、開始端末へターゲット端末がイベント位置に存在する通知を送信し、
ターゲット端末が、サービスデバイスへターゲット端末がイベント位置に存在する通知を送信した後、ターゲット端末がイベント位置に存在しないかどうかを検出し、ターゲット端末がイベント位置に存在しない場合、１つまたは複数のソーシャルネットワーキング相互作用動作を実行するようにユーザを促す。
【００１１】
本開示の第６の局面は、ターゲットシステムを提供し、
サービスデバイスからイベント位置を伝えるメッセージを受信する受信ユニットであって、メッセージは、サービスデバイスが、開始端末からソーシャルネットワーキングプラットフォーム上でユーザによって入力されたイベント位置およびターゲット端末識別を伝えるコマンドを受信した後、ターゲット端末識別に基づきサービスデバイスから送信される、受信ユニットと、
ターゲット端末がイベント位置に存在するかどうかを検出する第１の検出ユニットと、
第１の検出ユニットが、ターゲット端末がイベント位置に存在することを検出する時、サービスデバイスを介して開始端末へターゲット端末がイベント位置に存在する通知を送信する送信ユニットと、
送信ユニットが、サービスデバイスを介して開始端末へターゲット端末がイベント位置に存在する通知を送信した後、ターゲット端末がイベント位置に存在しないかどうかを検出する第２の検出ユニットと、
第２の検出ユニットが、ターゲット端末がイベント位置に存在しないことを検出する時、１つまたは複数のソーシャルネットワーキング相互作用動作を実行するようにユーザを促すプロンプト端末と
を含む。
【００１２】
本開示の第７の局面は、オンラインソーシャルネットワーキング相互作用システムを提供し、開始端末、サービスデバイス、およびターゲット端末を含み、
開始端末が、サービスデバイスへソーシャルネットワーキングプラットフォーム上でユーザによって入力されたイベント位置およびターゲット端末識別を伝えるコマンドを送信し、
サービスデバイスが、コマンドを受信した後、ターゲット端末識別に基づきターゲット端末へイベント位置を伝えるメッセージを送信し、
ターゲット端末が、メッセージを受信した後、ターゲット端末がイベント位置に存在するかどうかを検出し、ターゲット端末がイベント位置に存在する場合、サービスデバイスへターゲット端末がイベント位置に存在する通知を送信し、
サービスデバイスが、開始端末へターゲット端末がイベント位置に存在する通知を送信し、
ターゲット端末が、サービスデバイスへターゲット端末がイベント位置に存在する通知を送信した後、サービスデバイスへターゲット端末の位置およびイベント位置を送信し、
サービスデバイスが、ターゲット端末の位置およびイベント位置を受信した後、ターゲット端末の位置およびイベント位置を比較してそれらが対応するかどうかを確認し、ターゲット端末の位置およびイベント位置が対応しない場合、ターゲット端末へ１つまたは複数のソーシャルネットワーキング相互作用動作を実行するためのコマンドを送信し、
ターゲット端末が、１つまたは複数のソーシャルネットワーキング相互作用動作を実行するためのコマンドを受信した後、１つまたは複数のソーシャルネットワーキング相互作用動作を実行するようにユーザを促す。
【００１３】
本開示の第８の局面は、サービスデバイスを提供し、
開始端末からソーシャルネットワーキングプラットフォーム上でユーザによって入力されたイベント位置およびターゲット端末識別を伝えるコマンドを受信する受信ユニットと、
ターゲット端末識別に基づきターゲット端末へイベント位置を伝えるメッセージを送信し、メッセージを受信した後、ターゲット端末がイベント位置に存在するかどうかをターゲット端末が検出し、ターゲット端末がイベント位置に存在する時、サービスデバイスへターゲット端末がイベント位置に存在する通知を送信できるようにする、送信ユニットであって、
受信ユニットが、ターゲット端末からターゲット端末がイベント位置に存在する通知を受信し、
送信ユニットが、開始端末へターゲット端末がイベント位置に存在する通知を送信し、
受信ユニットが、ターゲット端末からターゲット端末がイベント位置に存在する通知を受信した後、ターゲット端末の位置およびイベント位置を受信する、送信ユニットと、
ターゲット端末の位置およびイベント位置を比較してそれらが対応するかどうかを確認する比較ユニットであって、
ターゲット端末の位置およびイベント位置が対応しないと比較ユニットが判断する時、送信ユニットが、ターゲット端末へ１つまたは複数のソーシャルネットワーキング相互作用動作を実行するためのコマンドを送信し、１つまたは複数のソーシャルネットワーキング相互作用動作を実行するためのコマンドを受信した後、１つまたは複数のソーシャルネットワーキング相互作用動作を実行するようにターゲット端末がユーザを促すことができるようにする、比較ユニットと
を含む。
【００１４】
いくつかの実施形態によると、ソーシャルネットワーキングイベントが終了していることを示す、ターゲット端末がもはやイベント位置に存在しないことを検出する時、ターゲット端末が、ソーシャルネットワーキングイベントに関する情報を友人と共有するために１つまたは複数のソーシャルネットワーキング相互作用動作を実行するようにユーザを促すことができる。いくつかの実施形態によると、ソーシャルネットワーキングイベントが終了していることを示す、ターゲット端末がもはやイベント位置に存在しないことをサービスデバイスが検出する時、サービスデバイスは、ターゲット端末へ１つまたは複数のソーシャルネットワーキング相互作用動作を実行するためのコマンドを送信でき、１つまたは複数のソーシャルネットワーキング相互作用動作を実行するためのコマンドを受信した後、１つまたは複数のソーシャルネットワーキング相互作用動作を実行するようにターゲット端末がユーザを促すことができるようにする。従って、本開示は、ソーシャルネットワーキングイベントが終了した後、ソーシャルネットワーキング相互作用動作を実行するようにユーザに注意喚起でき、故にソーシャルネットワーキングイベントに関する情報が友人と共有できるようになる。
【図面の簡単な説明】
【００１５】
【図１】図１は、各種実施形態によるオンラインソーシャルネットワーキング相互作用方法のフローの一例を示す概略図である。
【図２】図２は、各種実施形態によるオンラインソーシャルネットワーキング相互作用方法のフローの一例を示す概略図である。
【図３】図３は、各種実施形態によるオンラインソーシャルネットワーキング相互作用方法のフローの一例を示す概略図である。
【図４】図４は、各種実施形態によるオンラインソーシャルネットワーキング相互作用方法のフローの一例を示す概略図である。
【図５】図５は、各種実施形態によるオンラインソーシャルネットワーキング相互作用方法のフローの一例を示す概略図である。
【図６】図６は、各種実施形態によるオンラインソーシャルネットワーキング相互作用方法のフローの一例を示す概略図である。
【図７】図７は、各種実施形態によるオンラインソーシャルネットワーキング相互作用システムの配置の一例を示す概略図である。
【図８】図８は、各種実施形態によるターゲット端末の配置の一例を示す概略図である。
【図９】図９は、各種実施形態によるオンラインソーシャルネットワーキング相互作用システムの配置の一例を示す概略図である。
【図１０】図１０は、各種実施形態によるサービスデバイスの配置の一例を示す概略図である。
【発明を実施するための形態】
【００１６】
実施形態の以下の説明では、その一部を形成する添付図面を参照し、実施可能な開示の特定の実施形態が図示により示される。他の実施形態が使用でき、構造の変更は、開示された実施形態の範囲から逸脱することなく行えることが分かる。
【００１７】
本開示は、オンラインソーシャルネットワーキング相互作用方法および関連デバイスおよびシステムを提供し、ソーシャルネットワーキングイベント後、ソーシャルネットワーキング相互作用動作を実行するようにユーザに注意喚起でき、それによりソーシャルネットワーキングイベントに関する情報が友人と共有できる。
【００１８】
図１は、各種実施形態による、オンラインソーシャルネットワーキング相互作用方法のフローの一例を示す概略図である。方法は、以下を含む。
【００１９】
ステップ１０１：ターゲット端末は、サービスデバイスからイベント位置を伝えるメッセージを受信し、サービスデバイスが、ソーシャルネットワーキングプラットフォーム上でユーザによって入力されたターゲット端末の識別およびイベント位置を伝えるコマンドを開始端末から受信した後、ターゲット端末の識別に基づきサービスデバイスから送信される。
【００２０】
いくつかの実施形態によると、ターゲット端末および開始端末は各々、ｉＰｈｏｎｅおよびアンドロイドオペレーティングシステム、または他のモバイルインターネットデバイス（ＭＩＤ）およびモバイルスマート端末に基づくもの等のスマートフォンを含む。端末は、タブレット、携帯電話、情報端末（ＰＤＡ）、電子リーダ、ノートＰＣ、スマートＴＶ、車載端末、および他のスマートデバイスを含むことができる。モバイル端末は、移動電話、タブレットＰＣ、メディアプレイヤ等でもよい。各種実施形態に従って使用できるモバイル端末の例は、タブレットＰＣ（アップルｉＰａｄおよびアップルｉＯＳを起動する他のタッチスクリーンデバイス、マイクロソフトサーフェス、およびウィンドウズ（登録商標）オペレーティングシステムを起動する他のタッチスクリーンデバイス、およびアンドロイドオペレーティングシステムを起動するタブレットデバイスに限定されないがそれらを含む）、移動電話、スマートフォン（アップルｉＰｈｏｎｅ、ウィンドウズ（登録商標）Ｐｈｏｎｅ、およびウィンドウズ（登録商標）モバイルまたはポケットＰＣオペレーティングシステムを起動する他のスマートフォン、およびアンドロイドオペレーティングシステム、ブラックベリーオペレーティングシステム、またはＳｙｍｂｉａｎオペレーティングシステムを起動するスマートフォンを含むがそれらに限定されない）、電子リーダ（アマゾンＫｉｎｄｌｅおよびＢａｒｎｅｓ＆ＮｏｂｌｅＮｏｏｋを含むがそれらに限定されない）、ノートＰＣ（アップルＭａｃオペレーティングシステム、ウィンドウズ（登録商標）オペレーティングシステム、アンドロイドオペレーティングシステムおよび／またはグーグルＣｈｒｏｍｅオペレーティングシステムを起動するコンピュータを含むがそれらに限定されない）、メディアプレイヤ（アップルｉＰｏｄおよびＭｉｃｒｏｓｏｆｔＺｏｏｍを含むがそれらに限定されない）、または任意の上記言及したオペレーティングシステムまたは任意の他のオペレーティングシステムを起動する車載デバイス、または任意の他のモバイルインターネットデバイス（ＭＩＤ）またはインテリジェント通信端末に限定されないがそれらを含み、それら全ては、当業者によって良く知られている。
【００２１】
ソーシャルネットワーキングプラットフォームの例は、個人ソーシャルネットワーキングサービス（ＳＮＳ）スペース、マイクロブログ（ＴｅｎｃｅｎｔマイクロブログおよびＳｉｎａマイクロブログ等）および電子メールボックスを含むがそれらに限定されない。
【００２２】
ターゲット端末の識別の例は、ターゲット端末の名前およびターゲット端末に関連付けられたデバイスタイプに関する情報等を含んでもよいがそれらに限定されない。
【００２３】
ステップ１０２：ターゲット端末は、イベント位置に存在するかどうかを検出し、存在する場合、サービスデバイスを介して開始端末へターゲット端末がイベント位置に存在する通知を送信する。
【００２４】
いくつかの実施形態によると、ターゲット端末は、位置情報サービス（ＬＢＳ）を提供する内蔵モジュールを有することができる。これら実施形態によると、ターゲット端末がサービスデバイスからイベント位置を伝えるメッセージを受信する時、ターゲット端末は、ターゲット端末の位置を取得するために継続的または周期的な位置検出を開始することができる。
【００２５】
いくつかの実施形態によると、ターゲット端末がイベント位置に存在しないことを検出する場合、イベント位置に存在するかどうかを検出し続けることができる。
【００２６】
いくつかの実施形態によると、ターゲット端末がステップ１０２でイベント位置に存在するかどうかを検出することは、以下を含むことができる。
【００２７】
ターゲット端末は、その位置およびイベント位置が対応するかどうかを検出し、ターゲット端末の位置およびイベント位置が対応する場合、ターゲット端末がイベント位置に存在することを判断し、またはターゲット端末の位置およびイベント位置が対応しない場合、ターゲット端末がイベント位置に存在しないことを判断する。
【００２８】
本明細書で使用されるように、ターゲット端末がイベント位置に到達している時、ターゲット端末の位置およびイベント位置が対応する。いくつかの実施形態によると、ターゲット端末の位置およびイベント位置が同一である時、ターゲット端末の位置およびイベント位置が対応する。いくつかの他の実施形態によると、ターゲット端末の位置がイベント位置内にある時、即ちイベント位置がターゲット端末の位置を含むより広いエリアに及ぶ時、ターゲット端末の位置およびイベント位置が対応する。さらにいくつかの他の実施形態によると、ターゲット端末の位置およびイベント位置が重複する時、即ちターゲット端末の位置が及ぶエリアが、イベント位置が及ぶエリアに重複する時、ターゲット端末の位置およびイベント位置が対応する。
【００２９】
ステップ１０３：ターゲット端末は、サービスデバイスを介して開始端末へターゲット端末がイベント位置に存在する通知を送信した後、イベント位置に存在しないかどうかを検出し、存在しない場合、１つまたは複数のソーシャルネットワーキング相互作用動作をユーザに促す。
【００３０】
いくつかの実施形態によると、ターゲット端末が、ステップ１０３でサービスデバイスを介して開始端末へターゲット端末がイベント位置に存在する通知を送信した後、イベント位置に存在しないかどうかを検出することは、以下を含む。
【００３１】
ターゲット端末は、サービスデバイスを介して開始端末へターゲット端末がイベント位置に存在する通知を送信した後、その位置およびイベント位置が対応するかどうかを検出し、ターゲット端末の位置およびイベント位置が対応しない場合、ターゲット端末がイベント位置に存在しないことを判断し、ターゲット端末の位置およびイベント位置が対応する場合、ターゲット端末がイベント位置に存在することを判断する。
【００３２】
ターゲット端末がその位置およびイベント位置が対応するかどうかを検出する時において、ターゲット端末がその位置の緯度および経度情報を検出し、イベント位置が都市または道路情報によって示される場合、その時ターゲット端末は、緯度および経度情報に基づきデータベースを検索し、緯度および経度情報と対応する都市または道路情報とを照合することができる。
【００３３】
いくつかの実施形態によると、イベント位置は、開始端末によって電子地図から選択された位置でもよい。いくつかの実施形態によると、イベント位置は、開始端末上でユーザによって入力されたアドレス情報を含むことができる。
【００３４】
いくつかの実施形態によると、１つまたは複数のソーシャルネットワーキング相互作用動作を実行するようにユーザを促すターゲット端末は、ソーシャルネットワーキングプラットフォームへソーシャルネットワーキングイベント中に撮影された映像および写真等を公開してそれらを友人とすぐ共有するように、ユーザを促すことを含んでもよい。いくつかの実施形態によると、１つまたは複数のソーシャルネットワーキング相互作用動作を実行するようにユーザを促すターゲット端末は、１つまたは複数のウェブログ等の形式で、ソーシャルネットワーキングプラットフォーム上でソーシャルネットワーキングイベントに関する感想を公開してそれらを友人とすぐ共有するように、ユーザを促すことを含んでもよい。
【００３５】
いくつかの好ましい実施形態によると、上記説明したステップ１０１〜１０３を実行するターゲット端末は、ターゲット端末の通常機能に影響を及ぼさない。
【００３６】
任意に、図１に示したオンラインソーシャルネットワーキング相互作用方法では、ターゲット端末がサービスデバイスからイベント位置を伝えるメッセージを受信する前に、方法は、以下を含むことができる。
【００３７】
ステップ１）：ターゲット端末は、サービスデバイスからソーシャルネットワーキングイベントへの招待を受信し、サービスデバイスが、開始端末からターゲット端末の識別を伝えるソーシャルネットワーキングイベントへの招待を受信した後、招待は、ターゲット端末の識別に基づきサービスデバイスから送信される。
【００３８】
ステップ２）：ターゲット端末は、ユーザによって入力されたソーシャルネットワーキングイベントへの参加を確認する応答を受信しているかどうかを検出し、ターゲット端末が応答を受信している場合、ユーザによって入力されたソーシャルネットワーキングイベントへの参加を確認する応答を、サービスデバイスを介して開始端末へ送信し、またはターゲット端末が参加を確認する応答を受信していないか或いはユーザによって入力されたソーシャルネットワーキングイベントへの参加を拒否する応答を受信している場合、ソーシャルネットワーキングイベントへの参加を拒否する応答を、サービスデバイスを介して開始端末へ送信する。
【００３９】
上記ステップ１および２を介して、開始端末は、全ての招待されたターゲット端末のうち、ソーシャルネットワーキングイベントへの参加を確認したターゲット端末およびソーシャルネットワーキングイベントへの参加を拒否したターゲット端末を明確に識別でき、故にソーシャルネットワーキングイベントに他のターゲット端末が参加するようにさらに招待するかどうかを開始端末が判断できるようになる。
【００４０】
図１に示すオンラインソーシャルネットワーキング相互作用方法では、ソーシャルネットワーキングイベントが終了していることを示す、ターゲット端末がもはやイベント位置に存在しないことを検出する時、ターゲット端末は、ソーシャルネットワーキングイベントに関する情報（例えば、映像、写真、およびウェブログ等）を友人と共有するために、１つまたは複数のソーシャルネットワーキング相互作用動作を実行するようにユーザを促すことができる。従って、図１に示すオンラインソーシャルネットワーキング相互作用方法は、ソーシャルネットワーキングイベントが終了した後、ソーシャルネットワーキング相互作用動作を実行するようにユーザに注意喚起でき、故にソーシャルネットワーキングイベントに関する情報が友人と共有できるようになる。
【００４１】
図２は、各種実施形態によるオンラインソーシャルネットワーキング相互作用方法のフローの一例を示す概略図である。方法は、以下を含むことができる。
【００４２】
ステップ２０１：開始端末は、サービスデバイスへソーシャルネットワーキングプラットフォーム上でユーザによって入力されたイベント位置およびターゲット端末識別を伝えるコマンドを送信する。
【００４３】
ステップ２０２：サービスデバイスは、コマンドを受信した後、ターゲット端末識別に基づきターゲット端末へイベント位置を伝えるメッセージを送信する。
【００４４】
ステップ２０３：ターゲット端末は、メッセージを受信した後、イベント位置に存在するかどうかを検出し、ターゲット端末が存在する場合、サービスデバイスへターゲット端末がイベント位置に存在する通知を送信する。
【００４５】
いくつかの実施形態によると、ターゲット端末がイベント位置に存在しないことを検出する場合、イベント位置に存在するかどうかを検出し続けることができる。
【００４６】
ステップ２０４：サービスデバイスは、開始端末へターゲット端末がイベント位置に存在する通知を送信する。
【００４７】
ステップ２０５：ターゲット端末は、サービスデバイスへターゲット端末がイベント位置に存在する通知を送信した後、イベント位置に存在しないかどうかを検出し、ターゲット端末が存在しない場合、１つまたは複数のソーシャルネットワーキングオペレーションを実行するようにユーザを促す。
【００４８】
いくつかの実施形態によると、ソーシャルネットワーキングプラットフォーム上でユーザによって入力されたコマンドは、ソーシャルネットワーキングイベントへの参加に関する時間範囲（例えば、９：００〜１１：００）を伝えることができる。これら実施形態によると、ステップ２０１では、開始端末は、サービスデバイスへソーシャルネットワーキングプラットフォーム上でユーザによって入力されたイベント位置、ターゲット端末識別、およびソーシャルネットワーキングイベントへの参加に関する時間範囲を伝えるコマンドを送信できる。従って、ステップ２０２では、サービスデバイスは、コマンド受信後、ターゲット端末識別に基づきターゲット端末へソーシャルネットワーキングイベントへの参加に関する時間範囲およびイベント位置を伝えるメッセージを送信することができる。従って、ステップ２０３では、ターゲット端末は、メッセージ受信後、現在時刻がソーシャルネットワーキングイベントへの参加に関する時間範囲内であるかどうかを先ず検出し、次いで現在時刻が時間範囲内である場合、イベント位置に存在するかどうかを判断し、次いでターゲット端末が存在する場合、サービスデバイスへターゲット端末がイベント位置に存在する通知を送信することができる。勿論、ターゲット端末は、現在時刻がソーシャルネットワーキングイベントへの参加に関する時間範囲内でないことを検出する場合、ターゲット端末は、それにもかかわらずイベント位置に存在するかどうかを判断でき、ターゲット端末が存在する場合、サービスデバイスへターゲット端末がイベント位置に存在する通知を送信することができる。
【００４９】
図２に示すオンラインソーシャルネットワーキング相互作用方法では、ソーシャルネットワーキングイベントが終了していることを示す、ターゲット端末がイベント位置にもはや存在しないことを検出する時、ターゲット端末は、ソーシャルネットワーキングイベントに関する情報（例えば、映像、写真、およびウェブログ等）を友人と共有するために、１つまたは複数のソーシャルネットワーキング相互作用動作を実行するようにユーザを促すことができる。従って、図２に示すオンラインソーシャルネットワーキング相互作用方法は、ソーシャルネットワーキングイベントが終了した後、ソーシャルネットワーキング相互作用動作を実行するようにユーザに注意喚起することができ、故にソーシャルネットワーキングイベントに関する情報が友人と共有できるようになる。
【００５０】
図３は、各種実施形態によるオンラインソーシャルネットワーキング相互作用方法のフローの一例を示す概略図である。方法は、以下を含むことができる。
【００５１】
ステップ３０１：開始端末は、サービスデバイスへソーシャルネットワーキングプラットフォーム上でユーザによって入力されたターゲット端末識別を伝えるソーシャルネットワーキングイベントへの招待を送信する。
【００５２】
ステップ３０２：サービスデバイスは、ターゲット端末識別を伝える招待を受信した後、ターゲット端末識別に基づきターゲット端末へソーシャルネットワーキングイベントへの招待を送信する。
【００５３】
ステップ３０３：ターゲット端末は、ユーザによって入力されたソーシャルネットワーキングイベントへの参加を確認する応答を受信しているかどうかを検出し、ターゲット端末が応答を受信している場合、サービスデバイスへユーザによって入力されたソーシャルネットワーキングイベントへの参加を確認する応答を送信する。
【００５４】
ステップ３０４：サービスデバイスは、応答を受信した後、開始端末へユーザによって入力されたソーシャルネットワーキングイベントへの参加を確認する応答を送信する。
【００５５】
ステップ３０５：開始端末は、サービスデバイスへソーシャルネットワーキングプラットフォーム上でユーザによって入力されたイベント位置およびターゲット端末識別を伝えるコマンドを送信する。
【００５６】
ステップ３０６：サービスデバイスは、コマンド受信後、ターゲット端末識別に基づきターゲット端末へイベント位置を伝えるメッセージを送信する。
【００５７】
ステップ３０７：ターゲット端末は、メッセージを受信した後、イベント位置に存在するかどうかを検出し、ターゲット端末が存在する場合、サービスデバイスへターゲット端末がイベント位置に存在する通知を送信する。
【００５８】
いくつかの実施形態によると、ターゲット端末がイベント位置に到達していないことを検出する場合、イベント位置に存在するかどうかを検出し続けることができる。
【００５９】
ステップ３０８：サービスデバイスは、開始端末へターゲット端末がイベント位置に存在する通知を送信する。
【００６０】
ステップ３０９：ターゲット端末は、ターゲット端末がイベント位置に存在する通知を送信した後、イベント位置に存在しないかどうかを検出し、ターゲット端末が存在しない場合、１つまたは複数のソーシャルネットワーキング相互作用動作を実行するようにユーザを促す。
【００６１】
図３に示すオンラインソーシャルネットワーキング相互作用方法では、ソーシャルネットワーキングイベントが終了していることを示す、ターゲット端末がイベント位置に存在しないことを検出する時、ターゲット端末は、ソーシャルネットワーキングイベントに関する情報（例えば、映像、写真、およびウェブログ等）を友人と共有するために１つまたは複数のソーシャルネットワーキング相互作用動作を実行するようにユーザを促すことができる。従って、図３に示すオンラインソーシャルネットワーキング相互作用方法は、ソーシャルネットワーキングイベントが終了した後、ソーシャルネットワーキング相互作用動作を実行するようにユーザに注意喚起することができ、故にソーシャルネットワーキングイベントに関する情報が友人と共有できるようになる。
【００６２】
図４は、各種実施形態によるオンラインソーシャルネットワーキング相互作用方法のフローの一例を示す概略図である。方法は、以下を含むことができる。
【００６３】
ステップ４０１：サービスデバイスは、開始端末からソーシャルネットワーキングプラットフォーム上でユーザによって入力されたイベント位置およびターゲット端末識別を伝えるコマンドを受信する。
【００６４】
ステップ４０２：サービスデバイスは、ターゲット端末識別に基づきターゲット端末へイベント位置を伝えるメッセージを送信し、メッセージ受信後、ターゲット端末がイベント位置に存在するかどうかをターゲット端末が検出し、ターゲット端末がイベント位置に存在する時、サービスデバイスへターゲット端末がイベント位置に存在する通知を送信できるようにする。
【００６５】
ステップ４０３：サービスデバイスは、ターゲット端末がイベント位置に存在する通知をターゲット端末から受信し、開始端末へ通知を送信する。
【００６６】
ステップ４０４：サービスデバイスは、ターゲット端末からターゲット端末がイベント位置に存在する通知を受信した後、ターゲット端末からターゲット端末の位置およびイベント位置を受信する。
【００６７】
いくつかの実施形態によると、ターゲット端末は、ターゲット端末がＬＢＳモジュールを介してその位置を検出した後、毎回サービスデバイスへその位置およびイベント位置を送信することができる。
【００６８】
ステップ４０５：サービスデバイスは、ターゲット端末の位置およびイベント位置を比較してそれらが対応するかどうかを確認し、ターゲット端末の位置およびイベント位置が対応しない場合、ターゲット端末へ１つまたは複数のソーシャルネットワーキング相互作用動作を実行するためのコマンドを送信し、１つまたは複数のソーシャルネットワーキング相互作用動作を実行するためのコマンドを受信した後、１つまたは複数のソーシャルネットワーキング相互作用動作を実行するようにターゲット端末がユーザに促すことができるようにする。
【００６９】
サービスデバイスがターゲット端末の位置およびイベント位置を比較してそれらが対応することを確認した場合、これは、ソーシャルネットワーキングイベントが未だ終了してないことを意味し、サービスデバイスは、ターゲット端末へ１つまたは複数のソーシャルネットワーキング相互作用動作を実行するためのコマンドを送信する必要が無い。
【００７０】
この実施形態は、サーバサービスデバイスがターゲット端末の位置およびイベント位置を比較してそれらが対応するかどうかを確認できるようにする。大量データを格納するためにサーバの容量を利用することによって、判断の精度および照合結果を戻す迅速性は、照合が複雑な計算および判断を必要とする、ターゲット端末の位置が緯度および経度座標で表現され、イベント位置が都市または道路情報によって表現される時、特に高めることができる。
【００７１】
任意に、図４に示すオンラインソーシャルネットワーキング相互作用方法では、サービスデバイスが開始端末からソーシャルネットワーキングプラットフォーム上でユーザによって入力されたイベント位置およびターゲット端末識別を伝えるコマンドを受信する前に、方法は、以下を含むことができる。
【００７２】
ステップ１）：サービスデバイスは、開始端末からソーシャルネットワーキングプラットフォーム上でユーザによって入力されたターゲット端末識別を伝えるソーシャルネットワーキングイベントへの招待を受信する。
【００７３】
ステップ２）：サービスデバイスは、ターゲット端末識別に基づきターゲット端末へソーシャルネットワーキングイベントへの招待を送信し、ユーザによって入力されたソーシャルネットワーキングイベントへの参加を確認する応答を受信しているかどうかをターゲット端末が検出し、ユーザによって入力されたソーシャルネットワーキングイベントへの参加を確認する応答を受信した後、サービスデバイスへユーザによって入力されたソーシャルネットワーキングイベントへの参加を確認する応答を送信できるようにする。
【００７４】
ステップ３）：サービスデバイスは、ターゲット端末からユーザによって入力されたソーシャルネットワーキングイベントへの参加を確認する応答を受信し、開始端末へ応答を送信する。
【００７５】
上記ステップ１から３を介して、開始端末は、全ての招待されたターゲット端末のうち、ソーシャルネットワーキングイベントへの参加を確認したターゲット端末およびソーシャルネットワーキングイベントへの参加を拒否したターゲット端末を明確に識別でき、故にソーシャルネットワーキングイベントへ参加するように他のターゲット端末をさらに招待するかどうかを開始端末が判断できるようになる。
【００７６】
図４に示すソーシャルネットワーキング相互作用方法では、ソーシャルネットワーキングイベントが終了していることを示す、ターゲット端末がイベント位置にもはや存在しないことをサービスデバイスが検出する時、サービスデバイスは、ターゲット端末へ１つまたは複数のソーシャルネットワーキング相互作用動作を実行するためのコマンドを送信でき、１つまたは複数のソーシャルネットワーキング相互作用動作を実行するためのコマンドを受信した後、１つまたは複数のソーシャルネットワーキング相互作用動作を実行するようにターゲット端末がユーザを促せるようにする。故に、図４に示すオンラインソーシャルネットワーキング相互作用方法は、ソーシャルネットワーキングイベントが終了した後、ソーシャルネットワーキング相互作用動作を実行するようにユーザに注意喚起でき、故にソーシャルネットワーキングイベントに関する情報が友人と共有できるようになる。
【００７７】
図５は、各種実施形態によるオンラインソーシャルネットワーキング相互作用方法のフローの一例を示す概略図である。方法は、以下を含むことができる。
【００７８】
ステップ５０１：開始端末は、サービスデバイスへソーシャルネットワーキングプラットフォーム上でユーザによって入力されたイベント位置およびターゲット端末識別を伝えるコマンドを送信する。
【００７９】
ステップ５０２：サービスデバイスは、ターゲット端末識別に基づきターゲット端末へイベント位置を伝えるメッセージを送信する。
【００８０】
ステップ５０３：ターゲット端末は、メッセージを受信した後、イベント位置に存在するかどうかを検出し、ターゲット端末が存在する場合、サービスデバイスへターゲット端末がイベント位置に存在する通知を送信する。
【００８１】
いくつかの実施形態によると、ターゲット端末がステップ５０３でイベント位置に存在するかどうかを検出することは、以下を含むことができる。
【００８２】
ターゲット端末は、その位置およびイベント位置が対応するかどうかを検出し、ターゲット端末の位置およびイベント位置が対応する場合、ターゲット端末がイベント位置に存在することを判断し、またはターゲット端末の位置およびイベント位置が対応しない場合、ターゲット端末がイベント位置に存在しないことを判断する。
【００８３】
いくつかの実施形態によると、ターゲット端末がイベント位置に存在しないことを検出する場合、ターゲット端末は、イベント位置に存在するかどうかを検出し続けることができる。
【００８４】
ステップ５０４：サービスデバイスは、開始端末へターゲット端末がイベント位置に存在する通知を送信する。
【００８５】
ステップ５０５：ターゲット端末は、サービスデバイスへターゲット端末がイベント位置に存在する通知を送信した後、サービスデバイスへその位置およびイベント位置を送信する。
【００８６】
ステップ５０６：サービスデバイスは、ターゲット端末の位置およびイベント位置を受信した後、ターゲット端末の位置およびイベント位置を比較してそれらが一致するかどうかを確認し、ターゲット端末の位置およびイベント位置が対応しない場合、ターゲット端末へ１つまたは複数のソーシャルネットワーキング相互作用動作を実行するためのコマンドを送信する。
【００８７】
いくつかの実施形態によると、サービスデバイスがターゲット端末の位置およびイベント位置を比較してそれらが対応するかどうかを確認する場合、これは、ソーシャルネットワーキングイベントが未だ終了してないことを意味し、サービスデバイスがターゲット端末へ１つまたは複数のソーシャルネットワーキング相互作用動作を実行するためのコマンドを送信する必要が無い。
【００８８】
ステップ５０７：ターゲット端末は、１つまたは複数のソーシャルネットワーキング相互作用動作を実行するためのコマンドを受信した後、１つまたは複数のソーシャルネットワーキング相互作用動作を実行するようにユーザに促す。
【００８９】
いくつかの実施形態によると、ソーシャルネットワーキングプラットフォーム上でユーザによって入力されたコマンドは、ソーシャルネットワーキングイベントへの参加に関する時間範囲（例えば、９：００〜１１：００）を伝えることができる。これら実施形態によると、ステップ５０１では、開始端末は、サービスデバイスへソーシャルネットワーキングプラットフォーム上でユーザによって入力されたイベント位置、ターゲット端末識別、およびソーシャルネットワーキングイベントへの参加に関する時間範囲を伝えるコマンドを送信することができる。従って、ステップ５０２では、サービスデバイスは、コマンド受信後、ターゲット端末識別に基づきターゲット端末へソーシャルネットワーキングイベントへの参加に関する時間範囲およびイベント位置を伝えるメッセージを送信することができる。従って、ステップ５０３では、ターゲット端末は、メッセージ受信後、現在時刻がソーシャルネットワーキングイベントへの参加に関する時間範囲内であるかどうかを先ず検出し、次いで現在時刻が時間範囲内である場合、イベント位置に存在するかどうかを判断し、次いでターゲット端末が存在する場合、サービスデバイスへターゲット端末がイベント位置に存在する通知を送信することができる。勿論、ターゲット端末は、現在時刻がソーシャルネットワーキングイベントへの参加に関する時間範囲内にないことを検出する場合、それにもかかわらずイベント位置に存在するかどうかを判断でき、ターゲット端末が存在する場合、サービスデバイスへターゲット端末がイベント位置に存在する通知を送信することができる。
【００９０】
図５に示すオンラインソーシャルネットワーキング相互作用方法では、ソーシャルネットワーキングイベントが終了していることを示す、ターゲット端末がイベント位置に存在しないことを検出する時、サービスデバイスは、ターゲット端末へ１つまたは複数のソーシャルネットワーキング相互作用動作を実行するためのコマンドを送信でき、１つまたは複数のソーシャルネットワーキング相互作用動作を実行するためのコマンドを受信した後、１つまたは複数のソーシャルネットワーキング相互作用動作を実行するようにターゲット端末がユーザを促せるようにする。従って、図５に示すオンラインソーシャルネットワーキング相互作用用法は、ソーシャルネットワーキングイベントが終了した後、ソーシャルネットワーキング相互作用動作を実行するようにユーザに注意喚起でき、故にソーシャルネットワーキングイベントに関する情報が友人と共有できるようになる。
【００９１】
図６は、各種実施形態によるオンラインソーシャルネットワーキング相互作用方法のフローの一例を示す概略図である。方法は、以下を含むことができる。
【００９２】
ステップ６０１：開始端末は、サービスデバイスへソーシャルネットワーキングプラットフォーム上でユーザによって入力されたターゲット端末識別を伝えるソーシャルネットワーキングイベントへの招待を送信する。
【００９３】
ステップ６０２：サービスデバイスは、ターゲット端末識別を伝えるソーシャルネットワーキングイベントへの招待を受信した後、ターゲット端末識別に基づきターゲット端末にソーシャルネットワーキングイベントへの招待を送信する。
【００９４】
ステップ６０３：ターゲット端末は、ユーザによって入力されたソーシャルネットワーキングイベントへの参加を確認する応答を受信しているかどうかを検出し、ターゲット端末が応答を受信している場合、ユーザによって入力されたソーシャルネットワーキングイベントへの参加を確認する応答をサービスデバイスへ送信する。
【００９５】
ステップ６０４：サービスデバイスは、ユーザによって入力されたソーシャルネットワーキングイベントへの参加を確認する応答を受信し、それを開始端末に送信する。
【００９６】
ステップ６０５：開始端末は、ソーシャルネットワーキングプラットフォーム上でユーザによって入力されたイベント位置およびターゲット端末識別を伝えるコマンドをサービスデバイスに送信する。
【００９７】
ステップ６０６：サービスデバイスは、コマンドを受信した後、ターゲット端末識別に基づきターゲット端末へイベント位置を伝えるメッセージを送信する。
【００９８】
ステップ６０７：ターゲット端末は、メッセージを受信した後、イベント位置に存在するかどうかを検出し、ターゲット端末が存在する場合、ターゲット端末がイベント位置に存在する通知をサービスデバイスに送信する。
【００９９】
ステップ６０８：サービスデバイスは、ターゲット端末がイベント位置に存在する通知を開始端末に送信する。
【０１００】
ステップ６０９：ターゲット端末は、ターゲット端末がイベント位置に存在する通知をサービスデバイスに送信した後、サービスデバイスへその位置およびイベント位置を送信する。
【０１０１】
ステップ６１０：サービスデバイスは、ターゲット端末の位置およびイベント位置を受信した後、ターゲット端末の位置およびイベント位置を比較してそれらが対応するかどうかを確認し、ターゲット端末の位置およびイベント位置が対応しない場合、ターゲット端末へ１つまたは複数のソーシャルネットワーキング相互作用動作を実行するためのコマンドを送信する。
【０１０２】
ステップ６１１：ターゲット端末は、１つまたは複数のソーシャルネットワーキング相互作用動作を実行するためのコマンドを受信した後、１つまたは複数のソーシャルネットワーキング相互作用動作を実行するようにユーザを促す。
【０１０３】
図６に示すオンラインソーシャルネットワーキング相互作用方法では、ソーシャルネットワーキングイベントが終了していることを示す、ターゲット端末がもはやイベント位置に存在しないことをサービスデバイスが検出する時、サービスデバイスは、ターゲット端末へ１つまたは複数のソーシャルネットワーキング相互作用動作を実行するためのコマンドを送信でき、１つまたは複数のソーシャルネットワーキング相互作用動作を実行するためのコマンドを受信した後、１つまたは複数のソーシャルネットワーキング相互作用動作を実行するようにターゲット端末がユーザを促せるようにする。故に、図６に示すオンラインソーシャルネットワーキング相互作用方法は、ソーシャルネットワーキングイベントが終了した後、ソーシャルネットワーキング相互作用動作を実行するようにユーザに注意喚起でき、それによりソーシャルネットワーキングイベントに関する情報がユーザと共有できるようにする。
【０１０４】
図７は、各種実施形態によるオンラインソーシャルネットワーキング相互作用システムの配置の一例を示す概略図である。図７に示す通り、システムは、開始端末７０１、サービスデバイス７０２、およびターゲット端末７０３を含むことができる。図７の点線は、ワイヤレス接続を示す。
【０１０５】
開始端末７０１は、サービスデバイス７０２へソーシャルネットワーキングプラットフォーム上でユーザによって入力されたイベント位置およびターゲット端末識別を伝えるコマンドを送信する。
【０１０６】
サービス端末７０２は、コマンドを受信した後、ターゲット端末識別に基づきターゲット端末７０３へイベント位置を伝えるメッセージを送信する。
【０１０７】
ターゲット端末７０３は、メッセージを受信した後、イベント位置に存在するかどうかを検出し、ターゲット端末が存在する場合、サービスデバイス７０２へターゲット端末がイベント位置に存在する通知を送信する。
【０１０８】
サービスデバイス７０２はまた、開始端末１０１へターゲット端末がイベント位置に存在する通知を送信する。
【０１０９】
ターゲット端末７０３はまた、サービスデバイス７０２へターゲット端末がイベント位置に存在する通知を送信した後、イベント位置に存在しないかどうかを検出し、ターゲット端末が存在しない場合、１つまたは複数のソーシャルネットワーキング相互作用動作を実行するようにユーザを促す。
【０１１０】
いくつかの実施形態によると、開始端末７０１は、サービスデバイス７０２へイベント位置およびターゲット端末識別を伝えるコマンドを送信する前、サービスデバイス７０２へターゲット端末識別を伝えるソーシャルネットワーキングイベントへの招待を送信することができる。従って、サービスデバイス７０２は、ターゲット端末識別を伝えるソーシャルネットワーキングイベントへの招待を受信した後、ターゲット端末識別に基づきターゲット端末７０３へソーシャルネットワーキングイベントへの招待を送信することができる。従って、ターゲット端末７０３は、ユーザによって入力されたソーシャルネットワーキングイベントへの参加を確認する応答を受信しているかどうかを検出し、応答を受信している場合、サービスデバイス７０２へソーシャルネットワーキングイベントへの参加を確認する応答を送信することができる。サービスデバイス７０２はまた、応答を受信した後、開始端末７０１へソーシャルネットワーキングイベントへの参加を確認する応答を送信することができる。これら実施形態によると、開始端末７０１は、全ての招待されたターゲット端末のうち、ソーシャルネットワーキングイベントへの参加を確認したターゲット端末およびソーシャルネットワーキングイベントへの参加を拒否したターゲット端末を明確に識別でき、故にソーシャルネットワーキングイベントに他のターゲット端末が参加するようにさらに招待するかどうかを開始端末が判断できるようになる。
【０１１１】
いくつかの実施形態によると、メッセージを受信した後、ターゲット端末７０３がイベント位置に存在するかどうかを検出することは、以下を含むことができる。
【０１１２】
ターゲット端末７０３は、その位置およびイベント位置が対応するかどうかを検出し、ターゲット端末の位置およびイベント位置が対応する場合、ターゲット端末がイベント位置に存在することを判断し、ターゲット端末の位置およびイベント位置が対応しない場合、ターゲット端末がイベント位置に存在しないことを判断する。
【０１１３】
いくつかの実施形態によると、サービスデバイス７０２へターゲット端末がイベント位置に存在する通知を送信した後、ターゲット端末７０３がイベント位置に存在しないかどうかを判断することは、以下を含むことができる。
【０１１４】
ターゲット端末７０３は、サービスデバイス７０２へターゲット端末がイベント位置に存在する通知を送信した後、その位置およびイベント位置が対応するかどうかを検出し、ターゲット端末の位置およびイベント位置が対応しない場合、ターゲット端末がイベント位置に存在しないことを判断し、ターゲット端末の位置およびイベント位置が対応する場合、ターゲット端末がイベント位置に存在することを判断する。
【０１１５】
図７に示すオンラインソーシャルネットワーキング相互作用システムでは、ソーシャルネットワーキングプラットフォーム上でユーザによって入力されたコマンドは、ソーシャルネットワーキングイベントへの参加に関する時間範囲（例えば、９：００〜１１：００）を伝えることができる。これら実施形態によると、開始端末７０１は、ソーシャルネットワーキングプラットフォーム上でユーザによって入力されたイベント位置、ターゲット端末識別、およびソーシャルネットワーキングイベントへの参加に関する時間範囲を伝えるコマンドをサービスデバイス７０２に送信できる。従って、サービスデバイス７０２は、コマンドを受信した後、ターゲット端末識別に基づきターゲット端末７０３へソーシャルネットワーキングイベントへの参加に関する時間範囲およびイベント位置を伝えるメッセージを送信できる。従って、ターゲット端末７０３は、メッセージを受信した後、現在時刻がソーシャルネットワーキングイベントへの参加に関する時間範囲内であるかどうかを先ず検出し、次いで現在時刻が時間範囲内である場合、イベント位置に存在するかどうかを判断し、次いでターゲット端末が存在する場合、サービスデバイス７０２へターゲット端末がイベント位置に存在する通知を送信することができる。勿論、ターゲット端末７０３は、現在時刻がソーシャルネットワーキングイベントへの参加に関する時間範囲内でないことを検出する場合、ターゲット端末は、それにもかかわらずイベント位置に存在するかどうかを判断でき、ターゲット端末が存在する場合、サービスデバイス７０２へターゲット端末がイベント位置に存在する通知を送信することができる。
【０１１６】
図７に示すオンラインソーシャルネットワーキング相互作用システムでは、ソーシャルネットワーキングイベントが終了していることを示す、ターゲット端末７０３がもはやイベント位置に存在しないことを検出する時、ターゲット端末７０３は、ソーシャルネットワーキングイベントに関する情報（例えば、映像、写真、およびウェブログ等）を友人と共有するために、１つまたは複数のソーシャルネットワーキング相互作用動作を実行するようにユーザを促すことができる。故に、図７に示すオンラインソーシャルネットワーキング相互作用システムは、ソーシャルネットワーキングイベントが終了した後、ソーシャルネットワーキング相互作用動作を実行するようにユーザを促すことができ、それによりソーシャルネットワーキングイベントに関する情報が友人と共有できるようになる。
【０１１７】
図８は、各種実施形態によるターゲット端末の配置の一例を示す概略図である。ターゲット端末は、以下を含むことができる。
【０１１８】
受信ユニット８０１は、サービスデバイスからイベント位置を伝えるメッセージを受信し、サービスデバイスが開始端末からソーシャルネットワーキング上でユーザによって入力されたイベント位置およびターゲット端末識別を伝えるコマンドを受信した後、メッセージは、ターゲット端末識別に基づきサービスデバイスから送信される。
【０１１９】
第１の検出ユニット８０２は、ターゲット端末がイベント位置に存在するかどうかを検出する。
【０１２０】
ターゲット端末がイベント位置に存在することを第１の検出ユニット８０２が検出する場合、送信ユニット８０３は、ターゲット端末がイベント位置に存在する通知を、サービスデバイスを介して開始端末へ送信する。
【０１２１】
送信ユニット８０３がサービスデバイスを介して開始端末へターゲット端末がイベント位置に存在する通知を送信した後、ターゲット端末がイベント位置に存在しないかどうかを第２の検出ユニット８０４が検出する。
【０１２２】
ターゲット端末がイベント位置に存在しないことを第２の検出ユニット８０４が検出する場合、プロンプトユニット８０５は、１つまたは複数のソーシャルネットワーキング相互作用動作を実行するようにユーザを促す。
【０１２３】
いくつかの実施形態によると、図８に示すターゲット端末では、受信ユニット８０１は、サービスデバイスからイベント位置を伝えるメッセージを受信する前、サービスデバイスからソーシャルネットワーキングイベントへの招待を受信でき、サービスデバイスが開始端末からターゲット端末識別を伝えるソーシャルネットワーキングイベントへの招待を受信した後、ソーシャルネットワーキングイベントへの招待は、ターゲット端末識別に基づきターゲット端末に送信される。従って、第１の検出ユニット８０２は、ユーザによって入力されたソーシャルネットワーキングイベントへの参加を確認する応答を受信しているかどうかを検出できる。従って、第１の検出ユニット８０２がユーザによって入力されたソーシャルネットワーキングイベントへの参加を確認する応答を受信していることを検出した後、サービスデバイスを介して開始端末へユーザによって入力されたソーシャルネットワーキングイベントへの参加を確認する応答を送信することができる。これら実施形態によると、開始端末は、全ての招待されたターゲット端末から、ソーシャルネットワーキングイベントへの参加を確認したターゲット端末およびソーシャルネットワーキングイベントへの参加を拒否したターゲット端末を明確に識別でき、それによりソーシャルネットワーキングイベントに他のターゲット端末をさらに招待するかどうかを開始端末が判断できるようになる。
【０１２４】
いくつかの実施形態によると、第１の検出ユニット８０２は、その位置およびイベント位置が対応するかどうかを検出し、その位置およびイベント位置が対応する場合、ターゲット端末がイベント位置に存在することを判断し、またはその位置およびイベント位置が対応しない場合、ターゲット端末がイベント位置に存在しないことを判断することができる。
【０１２５】
いくつかの実施形態によると、サービスデバイスを介して開始端末へターゲット端末がイベント位置に存在する通知を送信ユニット８０３が送信した後、第２の検出ユニット８０４は、その位置およびイベント位置が対応するかどうかを検出し、その位置およびイベント位置が対応しない場合、ターゲット端末がイベント位置に存在しないことを判断し、その位置およびイベント位置が対応する場合、ターゲット端末がイベント位置に存在することを判断することができる。
【０１２６】
図８に示すターゲット端末では、受信ユニット８０１はまた、サービスデバイスからソーシャルネットワーキングイベントへの参加に関する時間範囲およびイベント位置を伝えるメッセージを受信できる。従って、第１の検出ユニット８０２は、現在時刻がソーシャルネットワーキングイベントへの参加に関する時間範囲内であるかどうかを先ず検出し、次いで現在時刻が時間範囲内である場合、イベント位置に存在するかどうかを判断することができる。送信ユニット８０３は次いで、第１の検出ユニットが存在する場合、サービスデバイスを介して開始端末へターゲット端末がイベント位置に存在する通知を送信できる。
【０１２７】
図８に示すターゲット端末では、ソーシャルネットワーキングイベントが終了していることを示す、ターゲット端末がもはやイベント位置に存在しないことを検出する時、ターゲット端末は、ソーシャルネットワーキングイベントに関する情報（例えば、映像、写真、およびウェブログ等）を友人と共有するために、１つまたは複数のソーシャルネットワーキング相互作用動作を実行するようにユーザを促すことができる。従って、図８に示すターゲット端末は、ソーシャルネットワーキングイベントが終了した後、ソーシャルネットワーキング相互作用動作を実行するようにユーザに注意喚起でき、それによりソーシャルネットワーキングイベントに関する情報が友人と共有できるようになる。
【０１２８】
図９は、各種実施形態による、オンラインソーシャルネットワーキング相互作用システムの配置の一例を示す概略図である。図９に示す通り、システムは、開始端末９０１、サービスデバイス９０２、およびターゲット端末９０３を含むことができる。
【０１２９】
開始端末９０１は、サービスデバイス９０２へソーシャルネットワーキングプラットフォーム上でユーザによって入力されたイベント位置およびターゲット端末識別を伝えるコマンドを送信する。
【０１３０】
サービスデバイス９０２は、コマンドを受信した後、ターゲット端末識別に基づきターゲット端末９０３にイベント位置を伝えるメッセージを送信する。
【０１３１】
ターゲット端末９０３は、メッセージを受信した後、イベント位置に存在するかどうかを検出し、ターゲット端末が存在する場合、サービスデバイス９０２へターゲット端末がイベント位置に存在する通知を送信する。
【０１３２】
サービスデバイス９０２はまた、開始端末９０１へターゲット端末がイベント位置に存在する通知を送信する。
【０１３３】
ターゲット端末９０３はまた、サービスデバイス９０２へターゲット端末がイベント位置に存在する通知を送信した後、サービスデバイス９０２にその位置およびイベント位置を送信する。
【０１３４】
サービスデバイス９０２はまた、ターゲット端末の位置およびイベント位置を受信した後、ターゲット端末の位置およびイベント位置を比較してそれらが対応するかどうか確認し、ターゲット端末の位置およびイベント位置が対応しない場合、ターゲット端末９０３へ１つまたは複数のソーシャルネットワーキング相互作用動作を実行するためのコマンドを送信する。
【０１３５】
ターゲット端末９０３はまた、１つまたは複数のソーシャルネットワーキング相互作用動作を実行するためのコマンドを受信した後、１つまたは複数のソーシャルネットワーキング相互作用動作を実行するようにユーザを促す。
【０１３６】
いくつかの実施形態によると、開始端末９０１はまた、ソーシャルネットワーキングプラットフォーム上でユーザによって入力されたイベント位置およびターゲット端末識別を伝えるコマンドをサービスデバイス９０２に送信する前、ソーシャルネットワーキングプラットフォーム上でユーザによって入力されたターゲット端末識別を伝えるソーシャルネットワーキングイベントへの招待をサービスデバイス９０２に送信することができる。従って、サービスデバイス９０２はまた、ターゲット端末識別を伝えるソーシャルネットワーキングイベントへの参加を受信した後、ターゲット端末識別に基づきターゲット端末９０３へソーシャルネットワーキングイベントへの招待を送信できる。従って、ターゲット端末９０３はまた、ユーザによって入力されたソーシャルネットワーキングイベントへの参加を確認する応答を受信しているかどうかを検出し、応答を受信している場合、サービスデバイス９０２へユーザによって入力されたソーシャルネットワーキングイベントへの参加を確認する応答を送信することができる。サービスデバイス９０２は、応答を受信した後、開始端末９０１へユーザによって入力されたソーシャルネットワーキングイベントへの参加を確認する応答を送信できる。これら実施形態によると、開始端末９０１は、全ての招待されたターゲット端末から、ソーシャルネットワーキングイベントへの参加を確認したターゲット端末およびソーシャルネットワーキングイベントへの参加を拒否したターゲット端末を明確に識別でき、それによりソーシャルネットワーキングイベントに他のターゲット端末をさらに招待するかどうかを開始端末が判断できるようになる。
【０１３７】
いくつかの実施形態によると、メッセージを受信した後、ターゲット端末９０３がイベント位置に存在するかどうかを検出することは、以下を含むことができる。
【０１３８】
ターゲット端末９０３は、その位置およびイベント位置が対応するかどうかを検出し、ターゲット端末の位置およびイベント位置が対応する場合、ターゲット端末がイベント位置に存在することを判断し、またはターゲット端末の位置およびイベント位置が対応しない場合、ターゲット端末がイベント位置に存在しないことを判断する。
【０１３９】
図９に示すオンラインソーシャルネットワーキング相互作用システムでは、ソーシャルネットワーキングプラットフォーム上でユーザによって入力されたコマンドは、ソーシャルネットワーキングイベントへの参加に関する時間範囲（例えば、９：００〜１１：００）を伝えることができる。これら実施形態によると、開始端末９０１は、ソーシャルネットワーキングプラットフォーム上でユーザによって入力されたイベント位置、ターゲット端末識別、およびソーシャルネットワーキングイベントへの参加に関する時間範囲を伝えるコマンドをサービスデバイス９０２に送信することができる。従って、サービスデバイス９０２は、コマンドを受信した後、ターゲット端末識別に基づきターゲット端末９０３へソーシャルネットワーキングイベントへの参加に関する時間範囲およびイベント位置を伝えるメッセージを送信できる。従って、ターゲット端末は、メッセージを受信した後、現在時刻がソーシャルネットワーキングイベントへの参加に関する時間範囲内であるかどうかを先ず検出し、次いで現在時刻が時間範囲内である場合、イベント位置に存在するかどうかを判断し、次いでターゲット端末が存在する場合、ターゲット端末がイベント位置に存在する通知をサービスデバイス９０２に送信することができる。勿論、現在時刻がソーシャルネットワーキングイベントへの参加に関する時間範囲内でないことをターゲット端末９０３が検出する場合、それにもかかわらずイベント位置に存在するかどうかを判断し、ターゲット端末が存在する場合、サービスデバイス９０２へターゲット端末がイベント位置に存在する通知を送信することができる。
【０１４０】
図９に示すオンラインソーシャルネットワーキング相互作用システムでは、ソーシャルネットワーキングイベントが終了していることを示す、ターゲット端末がもはやイベント位置に存在しないことをサービスデバイス９０２が検出する時、サービスデバイス９０２は、ターゲット端末９０３に１つまたは複数のソーシャルネットワーキング相互作用動作を実行するためのコマンドを送信することができ、１つまたは複数のソーシャルネットワーキング相互作用動作を実行するためのコマンドを受信した後、１つまたは複数のソーシャルネットワーキング相互作用動作を実行するようにターゲット端末９０３がユーザを促せるようにする。従って、図９に示すオンラインソーシャルネットワーキング相互作用システムは、ソーシャルネットワーキングイベントが終了した後、ソーシャルネットワーキング相互作用動作を実行するようにユーザに注意喚起でき、それによりソーシャルネットワーキングイベントに関する情報が友人と共有できるようになる。
【０１４１】
図１０は、各種実施形態によるサービスデバイスの配置の一例を示す概略図である。サービスデバイスは、以下を含むことができる。
【０１４２】
受信ユニット１００１は、開始端末からソーシャルネットワーキングプラットフォーム上でユーザによって入力されたイベント位置およびターゲット端末識別を伝えるコマンドを受信する。
【０１４３】
送信ユニット１００２は、ターゲット端末識別に基づきターゲット端末へイベント位置を伝えるメッセージを送信し、メッセージを受信した後、ターゲット端末がイベント位置に存在するかどうかをターゲット端末が検出し、ターゲット端末がイベント位置に存在する時、サービスデバイスへターゲット端末がイベント位置に存在する通知を送信できるようにする。
【０１４４】
受信ユニット１００１はまた、ターゲット端末がイベント位置に存在する通知をターゲット端末から受信する。
【０１４５】
送信ユニット１００２は、ターゲット端末がイベント位置に存在する通知を開始端末に送信する。
【０１４６】
受信ユニット１００１は、ターゲット端末がイベント位置に存在する通知をターゲット端末から受信した後、ターゲット端末位置およびイベント位置をターゲット端末から受信する。
【０１４７】
比較ユニット１００３は、ターゲット端末の位置およびイベント位置を比較してそれらが対応するかどうかを確認する。
【０１４８】
送信ユニット１００２は、ターゲット端末の位置およびイベント位置が対応しないことを判断する時、ターゲット端末へ１つまたは複数のソーシャルネットワーキング相互作用動作を実行するためのコマンドを送信し、１つまたは複数のソーシャルネットワーキング相互作用動作を実行するためのコマンドを受信した後、１つまたは複数のソーシャルネットワーキング相互作用動作を実行するようにターゲット端末がユーザを促せるようにする。
【０１４９】
いくつかの実施形態によると、図１０に示すサービスデバイスでは、受信ユニット１００１はまた、開始端末からソーシャルネットワーキングプラットフォーム上でユーザによって入力されたイベント位置およびターゲット端末識別を伝えるコマンドを受信する前、開始端末からソーシャルネットワーキングプラットフォーム上でユーザによって入力されたターゲット端末識別を伝えるソーシャルネットワーキングイベントへの招待を受信できる。従って、送信ユニット１００２はまた、ターゲット端末識別に基づきターゲット端末にソーシャルネットワーキングイベントへの招待を送信でき、ターゲット端末がユーザによって入力されたソーシャルネットワーキングイベントへの参加を確認する応答を受信しているかどうかをターゲット端末が検出し、ソーシャルネットワーキングイベントへの参加を確認する応答を受信した後、サービスデバイスへユーザによって入力されたソーシャルネットワーキングイベントへの参加を確認する応答を送信できるようにする。従って、受信ユニット１００１はまた、ターゲット端末からソーシャルネットワーキングイベントへの参加を確認する応答を受信することができる。従って、送信ユニット１００２はまた、開始端末へユーザによって入力されたソーシャルネットワーキングイベントへの参加を確認する応答を送信できる。これら実施形態によると、開始端末は、全ての招待されたターゲット端末から、ソーシャルネットワーキングイベントへの参加を確認したターゲット端末およびソーシャルネットワーキングイベントへの参加を拒否したターゲット端末を明確に識別でき、それによりソーシャルネットワーキングイベントに参加するように他のターゲット端末をさらに招待するかどうかを開始端末が判断できるようになる。
【０１５０】
図１０に示すサービスデバイスでは、受信ユニット１００１はまた、開始端末からソーシャルネットワーキングプラットフォーム上でユーザによって入力されたイベント位置、ターゲット端末識別、およびソーシャルネットワーキングイベントへの参加に関する時間範囲（例えば、９：００〜１１：００）を伝えるコマンドを受信できる。従って、送信ユニット１００２は、ターゲット端末識別に基づきターゲット端末へソーシャルネットワーキングイベントへの参加に関する時間範囲およびイベント位置を伝えるメッセージを送信でき、現在時刻がソーシャルネットワーキングイベントへの参加に関する時間範囲内にあるかどうかをターゲット端末が先ず検出し、次いで現在時刻が時間範囲内にある場合、イベント位置に存在するかどうかを判断し、次いでターゲット端末が存在する場合、サービスデバイスへターゲット端末がイベント位置に存在する通知を送信できるようになる。勿論、現在時刻がソーシャルネットワーキングイベントへの参加に関する時間範囲内にないことをターゲット端末が検出する場合、それにもかかわらずイベント位置に存在するかどうかを判断し、ターゲット端末が存在する場合、サービスデバイスへターゲット端末がイベント位置に存在する通知を送信することができる。
【０１５１】
図１０に示すサービスデバイスでは、ソーシャルネットワーキングイベントが終了していることを示す、ターゲット端末がもはやイベント位置に存在しないことをサービスデバイスが検出する時、サービスデバイスは、ターゲット端末へ１つまたは複数のソーシャルネットワーキング相互作用動作を実行するためのコマンドを送信でき、１つまたは複数のソーシャルネットワーキング相互作用動作を実行するためのコマンドを受信した後、１つまたは複数のソーシャルネットワーキング相互作用動作を実行するようにターゲット端末がユーザを促せるようになる。故に、図１０に示すサービスデバイスは、ソーシャルネットワーキングイベントが終了した後、ソーシャルネットワーキング相互作用動作を実行するようにユーザに注意喚起でき、それによりソーシャルネットワーキングイベントに関する情報が友人と共有できるようになる。
【０１５２】
当業者であれば、ソーシャルネットワーキングイベントが特定のイベント位置によって限定されるのではなく、端末またはサービスデバイスによって識別可能な任意の基準、例えば時間またはターゲット端末がタスクオンラインを開始または完了したかどうかに関することが直ちに分かるだろう。従って、本明細書に開示された実施形態は、ターゲット端末がイベント位置に存在するかどうかを検出する観点から本明細書で説明および図示され、本明細書に開示されたソーシャルネットワーキングイベントへの対応する招待、コマンド、およびメッセージがイベント位置を含むように説明されうるが、実施形態がそのように限定されるのではなく、ターゲット端末またはサービスデバイスによって識別可能でソーシャルネットワーキングイベントに関する任意の基準に追加的に適用可能なことが分かる。単なる一例として、ソーシャルネットワーキングイベントが時間範囲内に発生するようにスケジュールされている場合に、スケジュールされた時間範囲が経過したことをターゲット端末が検出する時、ユーザは、ターゲット端末によって１つまたは複数のソーシャルネットワーキング相互作用動作を実行するように促される。従って、ソーシャルネットワーキングイベントへの対応する招待、対応するメッセージおよびコマンドは、イベント位置の代わりに（ソーシャルネットワーキングイベントが特定のイベント位置によって限定されない場合）、またはそれに追加して時間範囲を伝えることができる。同様に、ソーシャルネットワーキングイベントは、タスクオンライン、例えばオンラインフォーラムでコメントを残すことまたはオンラインゲームへの参加に関することができる。従って、ターゲット端末またはサービスデバイスは、ターゲット端末がタスクオンラインを開始したかどうか（例えば、オンラインゲームをプレイし始めたかまたはオンラインフォーラムにログインしたかどうか）、およびターゲット端末がタスクオンラインを終了したかどうか（例えば、オンラインゲームを終了したかまたはオンラインフォーラムをログアウトしたかどうか）を検出できる。ターゲット端末がタスクオンラインを終了したことを判断した時、ターゲット端末は、ソーシャルネットワーキングイベントに関する１つまたは複数のソーシャルネットワーキング相互作用動作を実行するようにユーザを促すことができる。これら実施形態によると、ソーシャルネットワーキングイベントへの対応する招待、対応するメッセージおよびコマンドは、イベント位置の代わりに（ソーシャルネットワーキングイベントが特定のイベント位置によって限定されない場合）、またはそれに追加して、タスクオンラインが開始または終了しているかどうかを判断するための基準を伝えることができる。そのような基準の例は、当業者によく知られている。
【０１５３】
当業者であれば、上記実施形態で説明した方法のステップの全てまたは一部は、コンピュータ読取可能なメモリ媒体に格納されうるプログラムによって命令される関連ハードウェアによって実行されうることが直ちに分かる。読取可能なメモリ媒体は例えば、読み取り専用メモリ（ＲＯＭ）、ランダムアクセスメモリ（ＲＡＭ）、磁気ディスク、またはコンパクトディスクでもよい。
【０１５４】
開示された実施形態は、添付図面を参照して全て説明されたが、各種変更および修正が当業者にとって明白であることが分かる。そのような変更および修正は、添付の特許請求の範囲によって定義された開示された実施形態の範囲内に含まれるとして理解されるべきである。
【符号の説明】
【０１５５】
７０１  開始端末
７０２  サービスデバイス
７０３  ターゲット端末
【図１】
2015535361.tif 000003
【図２】
2015535361.tif 000004
【図３】
2015535361.tif 000005
【図４】
2015535361.tif 000006
【図５】
2015535361.tif 000007
【図６】
2015535361.tif 000008
【図７】
2015535361.tif 000009
【図８】
2015535361.tif 000010
【図９】
2015535361.tif 000011
【図１０】
2015535361.tif 000012
【国際調査報告】
2015535361.tif 000013
2015535361.tif 000014